(57)【要約】【課題】体液の吸収特性に優れ、特に柔らかくかつ比較的高い強度（コシ）がある吸収体を有する吸収性物品を提供する。【解決手段】使用面側のトップシートを透過した体液を受け入れ保持する吸収要素を備える吸収性物品を製造する方法であって、次記の工程を含む。  トウ５２Ｙを開繊しフィラメントの集合体５２Ｚとする開繊工程、前記フィラメントの集合体５２Ｚに高吸収性ポリマー粒子を散布する工程９０、フィラメントの集合体及び高吸収性ポリマー粒子を有する吸収体の連続体を、包被シート５８により連続的に包む工程、前記吸収体及び前記包被シートの連続体を個別に分断し個別の吸収要素を得る工程９４、個別の吸収要素を間欠的に送りながら、他の素材と組合せる工程、他の素材と組み合わせた吸収要素２０を分断し個別の吸収性本体を得る工程、個別の吸収性本体を外装素材１２と組合せて製品化を図る工程。【選択図】図８
2006263165.tif 000002
【特許請求の範囲】
【請求項１】
使用面側のトップシートを透過した体液を受け入れ保持する吸収要素を備える吸収性物品を製造する方法であって、
トウを開繊しフィラメントの集合体とする開繊工程、
前記フィラメントの集合体に対し高吸収性ポリマー粒子を散布する工程、
フィラメントの集合体及び高吸収性ポリマー粒子を有する吸収体の連続体を、包被シートにより連続的に包む工程、
前記吸収体及び前記包被シートの連続体を個別に分断し個別の吸収要素を得る工程、
個別の吸収要素を間欠的に送りながら、他の素材と組合せて製品化を図る工程、
を有することを特徴とする吸収性物品の製造方法。
【請求項２】
前記開繊工程が、前記トウの長手方向の緊張と、弛緩とを順に有する第１の開繊工程と、この第１の開繊工程で得たトウを、通路内を通す過程で、通路内に圧力エアを吹き込んで厚み方向の開繊を行う第２の開繊工程と、を含む請求項１記載の吸収性物品の製造方法。
【請求項３】
前記高吸収性ポリマー粒子を散布する工程が、前記フィラメントの集合体上に、高吸収性ポリマー粒子を外力を加えて投射し、前記フィラメントの集合体中に前記高吸収性ポリマー粒子を侵入させるものである請求項１記載の吸収性物品の製造方法。
【請求項４】
前記高吸収性ポリマー粒子を散布する工程が、製品の段階で使用面側となる方向から、前記フィラメントの集合体上に、高吸収性ポリマー粒子を外力を加えて投射するものである請求項３記載の吸収性物品の製造方法。
【請求項５】
前記吸収体の連続体を、包被シートにより連続的に包む工程が、包被シートの内面側に保持シートを介在させて包む請求項１記載の吸収性物品の製造方法。
【請求項６】
高吸収性ポリマー粒子を散布する工程は、前記フィラメントの集合体に対し間欠的に高吸収性ポリマー粒子を散布するものであり、前記個別の吸収要素を得る工程は、前記高吸収性ポリマー粒子の散布ゾーン間でカッター装置により分断するものである請求項１記載の吸収性物品の製造方法。
【請求項７】
使用面側のトップシートを透過した体液を受け入れ保持する吸収要素を備える吸収性物品を製造する方法であって、
トウを開繊しフィラメントの集合体とする開繊工程、
前記フィラメントの集合体に対し高吸収性ポリマー粒子を散布する工程、
フィラメントの集合体及び高吸収性ポリマー粒子を有する吸収体の連続体を、包被シートにより連続的に包む工程、
前記吸収体及び前記包被シートの連続体を個別に分断し個別の吸収要素を得る工程、
個別の吸収要素を間欠的に送りながら、他の素材と組合せる工程、
他の素材と組み合わせた吸収要素を分断し個別の吸収性本体を得る工程、
個別の吸収性本体を外装素材と組み合わせる工程、
を有することを特徴とするパンツ型吸収性物品の製造方法。
【請求項８】
個別の吸収性本体を外装素材と組み合わせる工程が、個別の吸収性本体を９０度転回した後に、ラインに沿って流れる外装素材に対して組み合わせるものである請求項７記載の吸収性物品の製造方法。
【請求項９】
使用面側のトップシートを透過した体液を受け入れ保持する吸収要素を備える吸収性物品を製造する方法であって、
トウを開繊しフィラメントの集合体とする開繊工程、
前記フィラメントの集合体に高吸収性ポリマー粒子を散布する工程、
フィラメントの集合体及び高吸収性ポリマー粒子を有する吸収体の連続体を、包被シートにより連続的に包む工程、
前記吸収体及び前記包被シートの連続体を個別に分断し個別の吸収要素を得る工程、
個別の吸収要素を間欠的に送りながら、他の素材と組合せる工程、
他の素材と組み合わせた吸収要素を含む吸収性本体を備える半製品を分断し製品を得る工程、
を有することを特徴とするテープ式吸収性物品の製造方法。
【発明の詳細な説明】
【技術分野】
【０００１】
本発明は、体液の吸収性物品に関し、たとえば使い捨ておむつ、生理用ナプキンなどの使い捨て吸収性物品の製造方法に関するものである。特に、パンツ型またはテープ式（面ファスニングテープを含む）の使い捨ておむつを製造にするに適した方法を提供するものである。
【背景技術】
【０００２】
幼児や大人のテープ式やパンツ型の使い捨ておむつ、生理用ナプキンなどの吸収性物品は、使用面側のトップシートと、背面側の体液の透過を防止するバックシートと、これらのシート間に介在され、前記トップシートを透過した排泄された体液を受け入れ保持する吸収要素とを基本要素としている。
【０００３】
この基本要素に対し、前記バックシートの裏面側にたとえば不織布などからなる外装シートを設け、前記バックシートとしてプラスチックシートを使用した場合における肌触りを改良する形態、製品の両側にいわゆるバリヤーカフスを形成する形態など、ウエスト周りや腹周りのフィット性を改良するために弾性伸縮性を付与する形態などが、適宜付加される。
【０００４】
使用面側のトップシートを透過した体液を受け入れ保持する吸収要素としては、従来は、パルプ短繊維の積繊体が一般的に使用されている。また、体液に吸収量を高めるために高吸収性ポリマー粒子（以下「ＳＡＰ」ともいう。）を使用することも知られている。
【０００５】
ＳＡＰはパルプ短繊維の積繊体上に散布する場合のほか、パルプ短繊維中にＳＡＰを分散保持させ積繊体させる場合（特許文献１）がある。
【０００６】
一方、特表２００２―５２４３９９号（ＷＯ９９／２７８７９：特許文献２）及び特表２００４―５００１６５号（米国特許第６，６４６，１８０号：特許文献３）には、連続繊維を吸収要素として使用することを開示している。
【０００７】
他方、フィラメントの集合体はバラケ易いので形状保持のために、並びに、ＳＡＰ粒子を吸収体に含ませた場合、あるいは吸収体の下方に設けた場合に、ＳＡＰ粒子が移動しないようにティッシュペーパ（クレープ紙）などにより包むことを要する。
【０００８】
この場合において、フィラメントの集合体は長手方向に連続している。したがって、パルプ短繊維のように所定形状の型内に入れる積繊形態は採り難い。したがって、如何に吸収要素を製造するか課題であった。
【特許文献１】特開２００４―６５３００号公報
【特許文献２】特表２００２―５２４３９９号（ＷＯ９９／２７８７９）公報
【特許文献３】２００４―５００１６５号（米国特許第６，６４６，１８０号）公報
【発明の開示】
【発明が解決しようとする課題】
【０００９】
そこで、本発明の第１の課題は、体液の吸収特性に優れた柔らかくかつ比較的高い強度（コシ）がある吸収体を備える吸収要素を有する吸収性物品を製造することにある。他の課題は、長手方向に連続しているフィラメントの集合体と高吸収性ポリマー粒子とを好適に組合せて、良好な形態の吸収要素を製造することにある。
【課題を解決するための手段】
【００１０】
上記課題を解決した本発明は次記のとおりである。
＜請求項１記載の発明＞
使用面側のトップシートを透過した体液を受け入れ保持する吸収要素を備える吸収性物品を製造する方法であって、
トウを開繊しフィラメントの集合体とする開繊工程、
前記フィラメントの集合体に対し高吸収性ポリマー粒子を散布する工程、
フィラメントの集合体及び高吸収性ポリマー粒子を有する吸収体の連続体を、包被シートにより連続的に包む工程、
前記吸収体及び前記包被シートの連続体を個別に分断し個別の吸収要素を得る工程、
個別の吸収要素を間欠的に送りながら、他の素材と組合せて製品化を図る工程、
を有することを特徴とする吸収性物品の製造方法。
【００１１】
（作用効果）
本発明の吸収体は、トウを開繊したフィラメントの集合体を使用する。一般的にトウは、ベールと呼ばれるトウの圧縮体として入手できる。たとえば、２０〜８０ｍｍ幅の帯体として圧縮されている。吸収性物品の吸収体としては、嵩高のものが望ましい。したがって、トウを開繊したフィラメントの集合体として使用する。
本発明では、トウを開繊したフィラメントの集合体を有する吸収体の連続体を包被シートにより包む。したがって、バラケ易いフィラメントの集合体を包被シートによりに包むことにより、形状保持が可能となる。
また、トウの段階ではなく、トウを開繊したフィラメントの集合体に高吸収性ポリマー粒子を散布などにより混入する。これにより、高吸収性ポリマー粒子は、フィラメントの集合体中に入り込み易くなる。その結果、吸収体全体で吸収体に浸透した体液を高吸収性ポリマー粒子によって効果的に吸収できる。
フィラメントの集合体及び高吸収性ポリマー粒子を有する吸収体の連続体を、包被シートにより連続的に包むので、製造段階及び製品段階において、高吸収性ポリマー粒子の散乱を防止できる。
本発明では、前記吸収体及び前記包被シートの連続体を個別に分断し個別の吸収要素を得た後に、個別の吸収要素を間欠的に送りながら、他の素材と組合せる形態を採る。したがって、吸収性製品の長さ、パンツ型やテープ式使い捨ておむつの場合には吸収性本体の長さの中間に吸収要素を位置させることができる。他の素材により吸収要素の前後を包むように固定することで、吸収要素中の高吸収性ポリマー粒子が、製造段階及び製品段階において散乱するのを防止できる。
最後に、他の素材と他の素材と組合せて製品化を図ることができる。
【００１２】
＜請求項２記載の発明＞
前記開繊工程が、前記トウの長手方向の緊張と、弛緩とを順に有する第１の開繊工程と、この第１の開繊工程で得たトウを、通路内を通す過程で、通路内に圧力エアを吹き込んで厚み方向の開繊を行う第２の開繊工程と、を含む請求項１記載の吸収性物品の製造方法。
【００１３】
（作用効果）
第１の開繊工程と第２の開繊工程とを組み合わせることで、開繊効率が著しく高まる。
【００１４】
＜請求項３記載の発明＞
前記高吸収性ポリマー粒子を散布する工程が、前記フィラメントの集合体上に、高吸収性ポリマー粒子を外力を加えて投射し、前記フィラメントの集合体中に前記高吸収性ポリマー粒子を侵入させるものである請求項１記載の吸収性物品の製造方法。
【００１５】
（作用効果）
前記高吸収性ポリマー粒子の吸収効果を十分に発揮させるためには、フィラメントの集合体中に高吸収性ポリマー粒子を侵入させるものが望ましい。
フィラメントの集合体の上から、高吸収性ポリマー粒子を散布すると、フィラメントの集合体はフィラメント相互間に多くの空隙を有する嵩高の状態となっているので、高吸収性ポリマー粒子がフィラメント相互間の空隙内に良好に侵入する。特に、高吸収性ポリマー粒子を重力落下のみで散布するのではなく、高吸収性ポリマー粒子を外力を加えて投射することで、フィラメントの集合体中に確実に散布することができる。したがって、たとえば、フィラメントの集合体中に高吸収性ポリマー粒子を実質的に厚み方向全体に分散させる形態も可能となる。
いずれにしても本発明の形態によると、トップシートを透過した体液が吸収体に移動すると、体液はフィラメント相互間の多くの空隙内に速やかに浸透し、その空隙に存在する高吸収性ポリマー粒子が体液を吸収する。
また、体液はフィラメントの集合体のフィラメントの配向方向に速やかに拡散するので、吸収体の平面方向全体で体液を吸収でき、高吸収性ポリマー粒子による体液の吸収による、前述の厚み方向の吸収と平面方向の吸収とが相俟って、吸収量が多くなる。
本発明方法によって製造される製品における好ましい一形態は、前述のように、フィラメントの集合体に対して高吸収性ポリマー粒子が実質的に厚み方向全体に分散されているものである。この形態においては、吸収体の厚み全体において、高吸収性ポリマー粒子による体液の吸収能力が発揮されるからである。
仮に、吸収体の下部に高吸収性ポリマー粒子が多く偏在し、上部には高吸収性ポリマー粒子が存在しないとすれば、吸収体に移動した体液が、吸収体の上部に残存した状態で、着用者の動きにより圧縮されると、フィラメント相互間には大きな空隙があるためにその空隙から体液が容易に上方に抜け出るいわゆる「逆戻り」現象を生じてしまうのに対し、吸収性ポリマー粒子が実質的に厚み方向全体に分散させることで、高吸収性ポリマー粒子が上部にも存在するようにしてあるので、吸収体の上部において体液を吸収しゲル内に閉じ込め、圧力を受けても吸収した体液を放出し難いものとなり、「逆戻り」現象を防止する。
従来のパルプ繊維（綿状パルプ、あるいはフラッフパルプとも呼ばれる）に高吸収性ポリマー粒子を均一に分散させた吸収体との比較について説明すると、パルプ繊維を主体とする吸収体では、吸収速度が遅くかつ吸収量を多くするのに限界がある。この原因は短繊維が比較的密に絡まった状態にあるからである。パルプ繊維に高吸収性ポリマー粒子を均一に分散させたとしても、吸収体上部において吸収容量を超えると、体液はそれ以上、下方に移行することなく、吸収体上部に残存する状態となり、「逆戻り」現象を生じる。これに対し、フィラメント相互間の多くの空隙中に高吸収性ポリマー粒子が分散されていると、体液はフィラメント相互間の空隙を抜けて下方あるいは平面方向に速やかに移動し、高吸収性ポリマー粒子に吸収されるのである。
このようなフィラメントの集合体中に高吸収性ポリマー粒子が侵入した吸収体を得る場合、高吸収性ポリマー粒子を単に重力落下によって散布しても、フィラメントの集合体中に高吸収性ポリマー粒子の侵入は期待できないあるいは侵入量は少ない。
しかるに、請求項３記載の発明に従って、フィラメントの集合体上に、高吸収性ポリマー粒子を外力を加えて投射することより、フィラメントの集合体中に高吸収性ポリマー粒子を確実かつ大量に侵入させることができる。
さらに、本発明方法によれば、高吸収性ポリマー粒子に加える外力を調整することで、フィラメントの集合体中への高吸収性ポリマー粒子の侵入量を調整できる。高吸収性ポリマー粒子を単に重力落下によって散布する場合には、前記の侵入量を調整できない。本発明方法によれば、フィラメントの集合体中への高吸収性ポリマー粒子の侵入量を調整できる結果、前述のように、フィラメントの集合体に対して高吸収性ポリマー粒子が実質的に厚み方向全体に分散させることも、厚み方向に偏在させることもできる。したがって、目的とする吸収性物品に必要な特性に応じて、高吸収性ポリマー粒子の分散形態を選択できる方法なのである。
【００１６】
＜請求項４記載の発明＞
前記高吸収性ポリマー粒子を散布する工程が、製品の段階で使用面側となる方向から、前記フィラメントの集合体上に、高吸収性ポリマー粒子を外力を加えて投射するものである請求項３記載の吸収性物品の製造方法。
【００１７】
（作用効果）
製品の段階で使用面側となる方向から、フィラメントの集合体上に、高吸収性ポリマー粒子を加速させながら投射すると、製品化した段階及び消費者が使用するまでの段階において、高吸収性ポリマー粒子の重力が裏面側に作用するので、よりフィラメントの集合体中に侵入するようになるから、好適な製品形態となる。
【００１８】
＜請求項５記載の発明＞
前記吸収体の連続体を、包被シートにより連続的に包む工程が、包被シートの内面側に保持シートを介在させて包む請求項１記載の吸収性物品の製造方法。
【００１９】
（作用効果）
予め、保持シートの機能について述べる。すなわち、本発明が得ようとする製品としては、高吸収性ポリマー粒子を吸収体に含ませる場合、吸収体の下方に設ける場合、あるいは両者の形態を併用する場合があるが、高吸収性ポリマー粒子を吸収体に含ませる場合には、前述のように、フィラメントの集合体はフィラメント相互の間隙が大きいので、製造から消費者が使用するまでの段階で、ＳＡＰ粒子がフィラメントの集合体から抜け出て、包被シート上に集まる傾向がある。
しかるに、吸収体中に体液を浸透させるためには、包被シート（たとえばティッシュペーパ）は薄いものとする必要があるので、製品の裏面を触ると、吸収要素の下部に多く偏在した高吸収性ポリマー粒子群の凹凸が、ジャリジャリした違和感を与え、製品の価値を低下させる。これに対し、保持シート（「介在シート」と呼んでもよい。）を設けると、包被シートの下面に対し保持シートのコシが加わるので、製品の裏面から触る場合におけるジャリジャリした違和感を軽減させるあるいは生じさせないものとなる。
したがって、保持シートを使用するのが望ましい。そこで、請求項６記載の発明に従って、包被シートにより吸収体を連続的に包むにあたって、包被シートの内面側に保持シートを介在させて包むと、吸収体と包被シートとの間に保持シートを設けた製品を得ることができる。
【００２０】
＜請求項６記載の発明＞
高吸収性ポリマー粒子を散布する工程は、前記フィラメントの集合体に対し間欠的に高吸収性ポリマー粒子を散布するものであり、前記個別の吸収要素を得る工程は、前記高吸収性ポリマー粒子の散布ゾーン間でカッター装置により分断するものである請求項１記載の吸収性物品の製造方法。
【００２１】
（作用効果）
本発明では、収体及び前記包被シートの連続体を個別に分断し個別の吸収要素を得る工程を経る。個別に分断するために、カッター装置を使用できる。しかるに、フィラメントの集合体上に高吸収性ポリマー粒子を連続的に散布・投射する場合には、高吸収性ポリマー粒子の存在によりカッター装置の刃が短時間のうちに磨耗してしまう。そこで、高吸収性ポリマー粒子を連続的に散布・投射するのではなく、高吸収性ポリマー粒子を所定長さのゾーンＺ（図１０参照）のみに間欠的に散布・投射するようにする。そして、高吸収性ポリマー粒子の散布ゾーン間でカッター装置により分断すれば、カッター装置の刃の磨耗を軽減できる。
【００２２】
＜請求項７記載の発明＞
使用面側のトップシートを透過した体液を受け入れ保持する吸収要素を備える吸収性物品を製造する方法であって、
トウを開繊しフィラメントの集合体とする開繊工程、
前記フィラメントの集合体に対し高吸収性ポリマー粒子を散布する工程、
フィラメントの集合体及び高吸収性ポリマー粒子を有する吸収体の連続体を、包被シートにより連続的に包む工程、
前記吸収体及び前記包被シートの連続体を個別に分断し個別の吸収要素を得る工程、
個別の吸収要素を間欠的に送りながら、他の素材と組合せる工程、
他の素材と組み合わせた吸収要素を分断し個別の吸収性本体を得る工程、
個別の吸収性本体を外装素材と組み合わせる工程、
を有することを特徴とするパンツ型吸収性物品の製造方法。
【００２３】
（作用効果）
本発明に従えば、パンツ型吸収性物品を得ることができる。
【００２４】
＜請求項８記載の発明＞
個別の吸収性本体を外装素材と組み合わせる工程が、個別の吸収性本体を９０度転回した後に、ラインに沿って流れる外装素材に対して組み合わせるものである請求項７記載の吸収性物品の製造方法。
【００２５】
（作用効果）
これによって、特にパンツ型の使い捨ておむつを得ることができる。
【００２６】
＜請求項９記載の発明＞
使用面側のトップシートを透過した体液を受け入れ保持する吸収要素を備える吸収性物品を製造する方法であって、
トウを開繊しフィラメントの集合体とする開繊工程、
前記フィラメントの集合体に高吸収性ポリマー粒子を散布する工程、
フィラメントの集合体及び高吸収性ポリマー粒子を有する吸収体の連続体を、包被シートにより連続的に包む工程、
前記吸収体及び前記包被シートの連続体を個別に分断し個別の吸収要素を得る工程、
個別の吸収要素を間欠的に送りながら、他の素材と組合せる工程、
他の素材と組み合わせた吸収要素を含む吸収性本体を備える半製品を分断し製品を得る工程、
を有することを特徴とするテープ式吸収性物品の製造方法。
【００２７】
（作用効果）
本発明に従えば、テープ式の吸収性物品を得ることができる。
【発明の効果】
【００２８】
以上のとおり、本発明によれば、体液の吸収特性に優れた柔らかくかつ比較的高い強度（コシ）がある吸収体を備える吸収要素を有する吸収性物品を製造できる。しかも、長手方向に連続しているフィラメントの集合体と高吸収性ポリマー粒子とを好適に組合せて、良好な形態の吸収要素を製造することができる。
【発明を実施するための最良の形態】
【００２９】
以下、本発明を実施するための最良の形態について添付図面を参照しながら詳説する。
＜パンツ型使い捨ておむつの構造例＞
図１には、本発明に従って製造しようとする吸収性物品としてのパンツ型使い捨ておむつの構造例が示されている。このパンツ型使い捨ておむつ１０は、外面（裏面）側の外装シート１２と内面（表面）側の吸収性本体２０とを備え、外装シート１２に吸収性本体２０が固定されている。吸収性本体２０は、尿や軟便などの体液（後述する生理用ナプキンでは経血）を受け止めて吸収保持する部分である。外装シート１２は着用者に装着するための部分である。
【００３０】
外装シート１２はたとえば図示のように砂時計形状となり、両側が括れており、ここが着用者の脚を入れる部位となる。吸収性本体２０は任意の形状を採ることができるが、図示の形態では長方形である。
【００３１】
外装シート１２は、図２に示すように、吸収性本体２０が所定位置に設置され固定された後、前後に折り畳まれ、外装シート１２の前身頃１２Ｆ及び後身頃１２Ｂの両側部の接合領域１２Ａが熱融着などにより接合される。これによって、図１に示す構造の、ウエスト開口部ＷＯと一対のレッグ開口部ＬＯを有するパンツ型使い捨ておむつが得られる。
【００３２】
図示の吸収性本体２０の長手方向（すなわち図２の上下方向。製品の前後方向でもある。）の中間の幅は、外装シート１２の括れた部分を繋ぐ幅より短い形態が示されている。この幅の関係は逆でもよいし、同一の幅でもよい。
【００３３】
外装シート１２は望ましくは２枚のたとえば撥水性不織布のシートからなり、これらのシート間に弾性伸縮部材を介在させて、その収縮力により着用者にフィットさせる形態が望ましい。前記弾性伸縮部材としては、糸ゴムや弾性発泡体の帯状物などを使用できるが、多数の糸ゴムを使用するのが望ましい。図示の形態では、糸ゴム１２Ｃ，１２Ｃ…が、ウエスト領域Ｗにおいては幅方向に連続して設けられ、腰下領域Ｕにおいては両側部分のみに設けられ、股下領域Ｌにおいては設けられていない。糸ゴム１２Ｃ，１２Ｃ…が、ウエスト領域Ｗ及び腰下領域Ｕの両者に設けられていることで、糸ゴム１２Ｃ自体の収縮力が弱いとしても、全体としては腰下領域Ｕにおいても着用者に当たるので、製品が着用者に好適にフィットする。
【００３４】
実施の形態の吸収性本体２０は、図３が参照されるように、体液を透過させるたとえば不織布などからなるトップシート３０と、中間シート（セカンドシート）４０と吸収要素５０とを備える。さらに、両側にバリヤーカフス６０、６０を備える。
【００３５】
吸収要素５０は、トウを開繊したフィラメント５２，５２…の集合体及び高吸収性ポリマー粒子５４，５４…を有する吸収体５６と、この吸収体５６の少なくとも裏面及び側面を包む包被シート５８とを有する。さらに、吸収体５６と包被シート５８の裏面側部位（下側の部分）との間に保持シート８０が設けられている。
【００３６】
代表的に、図３に示すように、吸収体５６の裏面側にはバックシートと呼ばれるプラスチックシートなどからなる体液不透過性シート７０が設けられている。この体液不透過性シート７０の裏面側には、前記の外装シート１２が設けられている。
【００３７】
ここで、保持シート８０と吸収体５６上との間に、高吸収性ポリマー粒子５４をその散布などにより介在させることができる。
【００３８】
高吸収性ポリマー粒子５４が、フィラメント５２の集合体への散布・投射時に又はその後の工程、あるいは消費者が使用するまでの流通過程で、フィラメント５２の集合体を通り抜けることがある。フィラメントの集合体を通り抜けた高吸収性ポリマー粒子群の凹凸は、消費者が使用する際に手で触ったとき違和感を与える。そこで、吸収体５６と包被シート５８との間に、不織布などからなる保持シート８０を介在させるのである。この保持シート８０は、ティッシュペーパ（クレープ紙）などの包被シート５８のみでは足りないコシを補強して、消費者が使用する際に手で触ったとき違和感を軽減又は防止する。
【００３９】
体液不透過性シート７０は、いわゆる額巻きする形態で使用面に延在させる（図示せず）ことで、体液の横漏れを防止できるが、実施の形態においては、横漏れについては、バリヤーカフス６０を形成する二重のバリヤーシート６４間に第２体液不透過性シート７２を介在させることにより防止している。この形態によれば、バリヤーカフス６０の起立まで第２体液不透過性シート７２が延在しているので、トップシート３０を伝わって横に拡散した体液やバリヤーカフス６０、６０間の軟便の横漏れを防止できる利点もある。
【００４０】
中間シート（セカンドシート）４０は、トップシート３０と包被シート５８との間に介在されている。図５に示すように、中間シート（セカンドシート）４０を設けない形態も使用可能である。
【００４１】
図示の形態の中間シート４０は、吸収体５６の幅より短く中央に配置されているが、全幅にわたって設けてもよい。中間シート４０の長手方向長さは、吸収体５６の長さと同一でもよいし、体液を受け入れる領域を中心にした短い長さ範囲内であってもよい。中間シート４０の代表的な素材は体液の透過性に優れる不織布である。
【００４２】
包被シート５８としては、ティッシュペーパや不織布などを使用できる。この包被シート５８は、図３のように、フィラメント５２，５２…の集合体及び高吸収性ポリマー粒子５４，５４…の層全体を包む形態のほか、たとえば図４に示すように、その層の裏面及び側面のみを包被するものでもよい。必要ならば、層の上下２層のシートで挟む形態や下面のみに配置する形態でもよいが、高吸収性ポリマー粒子の移動を防止でき難いので望ましい形態ではない。
【００４３】
保持シート８０は、図６に示すように、吸収体５６の側部を周り込ませてもよい。また、図６には、吸収体５６の下方に高吸収性ポリマー粒子を設けた場合、あるいは吸収体５６中に含ませた高吸収性ポリマー粒子が、製造から消費者が使用するまでの段階で、フィラメント５２の集合体から抜け出て、保持シート８０上に集まった場合を概念的に示した。
【００４４】
製品の両側に設けられたバリヤーカフス６０、６０は、トップシート３０上を伝わって横方向に移動する尿や軟便を阻止し、横漏れを防止するために設けられているが、本発明においては付加的な要素である。
【００４５】
図示のバリヤーカフス６０は、撥水性不織布シートを二重にしたものであり、吸収体５６の裏面側からトップシート３０の下方への折り込み部分を覆って、表面側に突出するように形成されている。トップシート３０上を伝わって横方向に移動する尿を阻止するために、特に、二重の不織布シート間に体液不透過性シート７０の側部が挿入され、表面側に突出するバリヤーカフス６０の途中まで延在している。
【００４６】
また、バリヤーカフス６０自体の形状は適宜に設計可能であるが、図示の例では、バリヤーカフス６０の突出部の先端部及び中間部に弾性伸縮部材、たとえば糸ゴム６２が伸張下で固定され、使用状態においてその収縮力により、バリヤーカフス６０が起立するようになっている。中間部の糸ゴム６２が先端部の糸ゴム６２、６２よりも中央側に位置してトップシート３０の前後端部に固定される関係で、図３のように、バリヤーカフス６０の基部側は中央側に向かって斜めに起立し、中間部より先端部は外側に斜めに起立する形態となる。
【００４７】
なお、図示しないが、図３に示す形状に保持されるように、吸収性本体２０の各構成部材は、ホットメルト接着剤などのベタ、ビードまたはスパイラル塗布などにより相互に固定される。後述する図４〜図６に示す形態についても同様である。
【００４８】
＜吸収要素の詳細＞
実施の形態の吸収要素は、吸収体５６を含む。この吸収体５６は、トウを開繊したフィラメント５２，５２…の集合体及び高吸収性ポリマー粒子５４，５４…を有する。そして、少なくとも体液受け入れ領域において、フィラメント５２，５２…の集合体に対して高吸収性ポリマー粒子（ＳＡＰ粒子）が実質的に厚み方向全体に分散されているものである。この実質的に厚み方向全体に分散されている状態を図３の要部拡大図として概念的に示した。
【００４９】
吸収体５６の上部、下部、及び中間部にＳＡＰ粒子が無い、あるいはあってもごく僅かである場合には、「厚み方向全体に分散されている」とは言えない。したがって、「厚み方向全体に分散されている」とは、フィラメントの集合体に対し、厚み方向全体に「均一に」分散されている形態のほか、上部、下部及び又は中間部に「偏在している」が、依然として上部、下部及び中間部の各部分に分散している形態も含まれる。
【００５０】
他方、一部のＳＡＰ粒子がフィラメントの集合体中に侵入しないでその表面に残存している形態や、一部のＳＡＰ粒子がフィラメントの集合体を通り抜けて包被シート５８上にある形態も排除されるものではない。なお、ゲルブロッキングを考慮しない場合には上部のみ又は中間部のみに偏在させても良く、逆戻りを考慮しない場合は中間部のみ又は下部のみに偏在している形態でも良い。
【００５１】
本発明の製造方法は、「製品の幅方向、長手方向及び厚み方向の少なくとも一つの方向に関し、フィラメントの集合体に対する高吸収性ポリマー粒子の分散密度に大小がある」吸収体を得る場合にも適用できる。
【００５２】
この「フィラメントの集合体に対する高吸収性ポリマー粒子の分散密度に大小がある」事項は種々の形態を包含する。
【００５３】
これについて説明すると、図２０に示すように、吸収体５６について、製品の幅方向をＸ、長手方向をＹ、厚み方向をＺとして、表１に示すように、それぞれ高吸収性ポリマー粒子の分散密度を他の領域より大きくする（高くする）場合を「寄り」と定義する。また、高吸収性ポリマー粒子の分散密度が同一である場合を「均一」と定義する。
【００５４】
表２〜表４に、「製品の幅方向、長手方向及び厚み方向の少なくとも一つの方向に関し、前記フィラメントの集合体に対する前記高吸収性ポリマー粒子の分散密度に大小がある」各形態についての特有の効果を併示した。本発明の条件は組み合わせて使用できることは勿論である。
【００５５】
【表１】
2006263165.tif 000003
【００５６】
【表２】
2006263165.tif 000004
【００５７】
【表３】
2006263165.tif 000005
【００５８】
【表４】
2006263165.tif 000006
【００５９】
このように、製品の幅方向、長手方向及び厚み方向のすべての方向に関し、フィラメントの集合体に対する高吸収性ポリマー粒子の分散密度が均一の場合に比較して、特有の効果を奏する。
【００６０】
＜フィラメントの集合体＞
本発明に用いるフィラメント５２，５２…の集合体は、実質的に連続繊維とみなされる連続繊維として構成されたトウ（繊維束）を開繊したものである。トウ構成繊維としては、例えば、多糖類又はその誘導体（セルロース、セルロースエステル、キチン、キトサンなど）、合成高分子（ポリエチレン、ポリプロピレン、ポリアミド、ポリエステル、ポリラクタアミド、ポリビニルアセテートなど）などを用いることができるが、特に、セルロースエステルおよびセルロースが好ましい。
【００６１】
セルロースとしては、綿、リンター、木材パルプなど植物体由来のセルロースやバクテリアセルロースなどが使用でき、レーヨンなどの再生セルロースであってもよく、再生セルロースは紡糸された繊維であってもよい。
【００６２】
好適に採用できるセルロースエステルとしては、例えば、セルロースアセテート、セルロースブチレート、セルロースプロピオネートなどの有機酸エステル；セルロースアセテートプロピオネート、セルロースアセテートブチレート、セルロースアセテートフタレート、硝酸酢酸セルロースなどの混酸エステル；およびポリカプロラクトングラフト化セルロースエステルなどのセルロースエステル誘導体などを用いることができる。これらのセルロースエステルは単独で又は二種類以上混合して使用できる。セルロースエステルの粘度平均重合度は、例えば、５０〜９００、好ましくは２００〜８００程度である。セルロースエステルの平均置換度は、例えば、１．５〜３．０（例えば、２〜３）程度である。
【００６３】
セルロースエステルの平均重合度は、例えば１０〜１０００、好ましくは５０〜９００、さらに好ましくは２００〜８００程度とすることができ、セルロースエステルの平均置換度は、例えば１〜３程度、好ましくは１〜２．１５、さらに好ましくは１．１〜２．０程度とすることができる。セルロースエステルの平均置換度は、生分解性を高める等の観点から選択することができる。
【００６４】
セルロースエステルとしては、有機酸エステル（例えば、炭素数２〜４程度の有機酸とのエステル）、特にセルロースアセテートが好適である。セルロースアセテートの酢化度は、４３〜６２％程度である場合が多いが、特に３０〜５０％程度であると生分解性にも優れるため好ましい。特に好ましいセルロースエステルは、セルロースジアセテートである。
【００６５】
トウ構成繊維は、種々の添加剤、例えば、熱安定化剤、着色剤、油剤、歩留り向上剤、白色度改善剤等を含有していても良い。
【００６６】
トウ構成繊維の繊度は、例えば、１〜１６ｄｅｘ、好ましくは１〜１０ｄｅｘ、さらに好ましくは１〜５ｄｅｘが望ましい。トウ構成繊維は、非捲縮繊維であってもよいが、捲縮繊維であるのが好ましい。捲縮繊維の捲縮度は、例えば、１インチ当たり５〜７５個、好ましくは１０〜５０個、さらに好ましくは１５〜５０個程度とすることができる。また、均一に捲縮した捲縮繊維を用いる場合が多い。捲縮繊維を用いると、嵩高で軽量な吸収体を製造できるとともに、繊維間の絡み合いにより一体性の高いトウを容易に製造できる。トウ構成繊維の断面形状は、特に限定されず、例えば、円形、楕円形、異形（例えば、Ｙ字状、Ｘ字状、Ｉ字状、Ｒ字状など）や中空状などのいずれであってもよい。トウ構成繊維は、例えば、３，０００〜１，０００，０００本、好ましくは５，０００〜１，０００，０００本程度の単繊維を束ねることにより形成されたトウ（繊維束）の形で使用することができる。繊維束は、３，０００〜１，０００，０００本程度の連続繊維を集束して構成するのが好ましい。
【００６７】
トウは、繊維間の絡み合いが弱いため、主に形状を維持する目的で、繊維の接触部分を接着または融着する作用を有するバインダーを用いることができる。バインダーとしては、トリアセチン、トリエチレングリコールジアセテート、トリエチレングリコールジプロピオネート、ジブチルフタレート、ジメトキシエチルフタレート、クエン酸トリエチルエステルなどのエステル系可塑剤の他、各種の樹脂接着剤、特に熱可塑性樹脂を用いることができる。
【００６８】
バインダーとして使用する熱可塑性樹脂には、溶融・固化により接着力が発現する樹脂であり、水不溶性または水難溶性樹脂、および水溶性樹脂が含まれる。水不溶性または水難溶性樹脂と水溶性樹脂とは、必要に応じて併用することもできる。
【００６９】
水不溶性または水難溶性樹脂としては、例えば、ポリエチレン、ポリプロピレン、エチレン−プロピレン共重合体、エチレン−酢酸ビニル共重合体などのオレフィン系の単独又は共重合体、ポリ酢酸ビニル、ポリメタクリル酸メチル、メタクリル酸メチル−アクリル酸エステル共重合体、（メタ）アクリル系モノマーとスチレン系モノマーとの共重合体などのアクリル樹脂、ポリ塩化ビニル、酢酸ビニル−塩化ビニル共重合体、ポリスチレン、スチレン系モノマーと（メタ）アクリル系モノマーとの共重合体などのスチレン系重合体、変性されていてもよいポリエステル、ナイロン１１、ナイロン１２、ナイロン６１０、ナイロン６１２などのポリアミド、ロジン誘導体（例えば、ロジンエステルなど）、炭化水素樹脂（例えば、テルペン樹脂、ジシクロペンタジエン樹脂、石油樹脂など）、水素添加炭化水素樹脂などを用いることができる。これらの熱可塑性樹脂は一種又は二種以上使用できる。
【００７０】
水溶性樹脂としては、種々の水溶性高分子、例えば、ポリビニルアルコール、ポリビニルピロリドン、ポリビニルエーテル、ビニル単量体と、カルボキシル基、スルホン酸基又はそれらの塩を有する共重合性単量体との共重合体などのビニル系水溶性樹脂、アクリル系水溶性樹脂、ポリアルキレンオキサイド、水溶性ポリエステル、水溶性ポリアミドなどを用いることができる。これらの水溶性樹脂は、単独で使用できるとともに二種以上組合せて使用してもよい。
【００７１】
熱可塑性樹脂には、酸化防止剤、紫外線吸収剤などの安定化剤、充填剤、可塑剤、防腐剤、防黴剤などの種々の添加剤を添加してもよい。
【００７２】
しかし、可能な限り、高吸収性ポリマー粒子の侵入を阻害するバインダー成分の使用は避けるべきである。高吸収性ポリマー粒子の侵入を阻害するバインダー成分は使用しないのが最善である。
【００７３】
トウは公知の方法により製造できるので詳説はしない。本発明において好適に使用できるセルロースジアセテートのトウのベールは、セラニーズ社やダイセル化学工業などにより市販されている。セルロースジアセテートのトウのベールは、密度は約０．５ｇ／ｃｍ3であり、総重量は４００〜６００ｋｇである。
【００７４】
このベールから、トウを引き剥がし、所望のサイズ、嵩となるように広い帯状に開繊する。トウの開繊幅は任意であり、例えば、幅１００〜２０００ｍｍ、好ましくは製品の吸収体の幅の１００〜３００ｍｍ程度とすることができる。また、トウの開繊度合いを調整することにより、吸収体の密度を調整することができる。
【００７５】
トウの開繊方法としては、例えば、トウを複数の開繊ロールに掛け渡し、トウの進行に伴なって次第にトウの幅を拡大して開繊する方法、トウの緊張（伸長）と弛緩（収縮）とを繰返して開繊する方法、圧縮エアを用いて拡幅・開繊する方法などを用いることができる。
【００７６】
＜パンツ型吸収性物品（パンツ型紙おむつ）の製造方法例＞
さて、上記のパンツ型吸収性物品を製造するための本発明の製造方法例について説明する。図７及び図８に示す例は、図１、図２及び図６に示すパンツ型の使い捨ておむつの製造例である。
【００７７】
ラインに上流側から包被シート５８が供給され、次いで保持シート８０が供給される。続いて、後に詳しく説明する開繊工程を経ることによって、トウが開繊されたフィラメント５２の集合体５２Ｚが上方から供給され、高吸収性ポリマー粒子散布手段９０により、上方からフィラメント５２の集合体５２Ｚ上に散布され、フィラメントの集合体に対して高吸収性ポリマー粒子５４が実質的に厚み方向全体に分散される。その後、セーラ９２を通すことにより吸収要素５０として包被シート５８により包み込む。次に、カッター装置９４によりライン方向に分割され、個別の吸収要素５０とされる。
【００７８】
さらに、中間シート（セカンドシート）４０が上方から、実施の形態では吸収要素５０全長に対して短い構造であるので、間欠的に供給される。
【００７９】
続いて上方からバリヤーカフス６０の構成要素及びトップシート３０が、下方から体液不透過性シート７０がそれぞれ供給される。ここで、バリヤーカフス６０を構成するバリヤーシート６４の供給ラインでは、予め、図示しない装置により２枚の不織布間に糸ゴム６２が伸張下で、かつ第２体液不透過性シート７２が固定された状態での供給がなされ、トップシート３０と共に主ラインに供給される。主ラインに供給されたバリヤーカフス６０の構成要素、トップシート３０及び体液不透過性シート７０は、図６に示す形状に、セーラ９６により折り畳みがなされる。
【００８０】
吸収性本体２０のラインの最後では、カッター装置９８により切断され、長手方向をラインに沿わせた長方形の吸収性本体２０が得られる。
【００８１】
得られた吸収性本体２０は、転回装置１００により吸収性本体２０の長手方向がラインと直交するように９０度転回される。
【００８２】
一方、外装シート１２のラインでは、予め２枚の不織布シート間に糸ゴム１２Ｃが介在された（図７では図示を省略してある）状態で流れ、かつ、脚周り部分を形成するためにカッター（図示せず）により楕円形にくりぬかれ、組合せステーション１０２に達すると、その上で、かつ、くりぬき部位間に転回済みの吸収性本体２０が設置され、ホットメルト接着剤などにより固定され、外装シート１２と結合される。その後、図７の水平ラインを境にして上下に折りたたまれ、外装シート１２の前身頃１２Ｆ及び後身頃１２Ｂの両側部の接合領域１２Ａが熱融着などにより接合される。その後、ライン方向に分断して（分断手段は図示していない）個別製品を得る。
【００８３】
ベール５２Ｘからの開繊は、たとえば図８に示す形態で行われる。すなわち、ベール５２Ｘからトウ５２Ｙが引き出され、拡幅装置１２０を介して段階的に拡幅されながら第１ニップ１２６Ａ、第２ニップ１２６Ｂ、及び第３ニップ１２６Ｃを通り、拡厚装置１１０に導かれ、ここで厚さが拡大され、略最終的なフィラメントの集合体５２Ｚとされた後、その上に、高吸収性ポリマー粒子散布手段９０により高吸収性ポリマー粒子５４が散布供給され、しかる後にセーラ９２へと送り込まれる。ベール５２Ｘからのトウの引き出しは、第１ニップ１２６Ａ（駆動ニップロールに相当）による引き込みにより行われるようになっている。
【００８４】
特徴的には、このトウの供給および開繊に際して本発明が適用されている。すなわち、ベール５２Ｘから引き出されたトウ５２Ｙは、ターン部１２２により角度変えが行われた後、回転自由に構成された一対のニップロールからなるフリーニップロール１２４のニップを介して、第１ニップ１２６Ａにより引き込まれるようになっている。このような構成では、フリーニップロール１２４の移送抵抗（ニップ圧力やロール自重に応じて定まる）があたかもトウ５２Ｙの引き込み速度を抑えるブレーキとして機能し、フリーニップロール１２４以降における張力が安定するようになる。これは、フリーニップロール１２４の回転がトウの通過のみで発生するようになっていることに起因するものである。
【００８５】
フリーニップロール１２４のニップ圧や自重は適宜定めればよいが、通常の場合、ニップ圧は５ＭＰａ未満とするのが好ましく、また、ロール自重は、ロール一本あたり１０ｋｇ未満とするのが好ましい。この範囲内であれば、張力の安定化を容易に実現できる。
【００８６】
かくして、トウの供給量を支配する第１ニップ１２６Ａに対するトウ５２Ｙの供給量が安定するようになり、もって吸収体のサイズ、重量、品質が安定するようになる。
【００８７】
また、ベール５２Ｘから引き出されたトウ５２Ｙは、ベール５２Ｘとフリーニップロール１２４との間、フリーニップロール１２４と第１ニップ１２６Ａとの間、第１ニップ１２６Ａと第２ニップ１２６Ｂとの間、ならびに第２ニップ１２６Ｂと第３ニップ１２６Ｃとの間にそれぞれ設けられた拡幅装置１２０により、段階的に所望の幅まで拡幅される。この際、併せて厚さ方向にも拡大することができる。
【００８８】
一方、第１ニップ１２６Ａと第２ニップ１２６Ｂとの間では、トウ５２Ｙにテンションをかけるように張力が付与されており、逆に第２ニップ１２６Ｂと第３ニップ１２６Ｃとの間は弛緩されるように、各ニップロールの周速度が設定されている。この結果、第１ニップ１２６Ａと第２ニップ１２６Ｂとの間でトウ５２Ｙにテンションがかけられることで、フィラメント相互の絡み合い等がある程度まで強制的に除去され、フィラメントの分離が促進されるとともに、この分離に伴って拡幅装置１２０によりトウ５２Ｙを拡幅することで、トウ５２Ｙの更なる均一な拡幅が可能となっている。また、第２ニップ１２６Ｂと第３ニップ１２６Ｃとの間でトウ５２Ｙの弛緩を行いつつ、拡幅装置１２０によりトウ５２Ｙを拡幅することで、トウ５２Ｙの更なる均一な拡幅が可能となっている。
【００８９】
より好ましい形態では、第２ニップ１２６Ｂの一方のローラは、長手方向に小さな間隔を置いて周方向に連続する溝が多数形成される。この溝は、フィラメントが多数の溝内に入り込むことで、トウの解しを促進させる機能がある。さらに、この場合、溝の効果を高めるために、第２ニップ１２６Ｂの一方の溝付ローラにおけるトウ５２Ｙの抱き角度（トウ接触部分の回転方向角度）を大きくし、トウ５２Ｙと溝付ローラとの接触面積を大きくするのも好ましい形態である。具体的には、第２ニップ１２６Ｂ上流側のトウ５２Ｙと下流側のトウ５２Ｙとのなす角度、つまり溝付ローラによる方向転換角度が１８０度未満、特に鋭角（９０度よりも小）となるように構成することのが好ましい。
【００９０】
また、第１ニップ１２６Ａ、第２ニップ１２６Ｂ及び第３ニップ１２６Ｃは、対をなすロールの径の組み合わせが相違しても良いが、その場合、周速度差によりロール間でトウ５２Ｙに加わる張力やロールとトウ５２Ｙとの接触抵抗などが、トウ幅方向において不均一になるおそれがあるため、全て共通するように構成するのが好ましい。
【００９１】
次に、第２開繊装置１１０に導かれる。第２開繊装置１１０は、米国特許第６２５３４３１号などのものを使用できるが、実施の形態ものは、特開昭５９―５００４２２号公報（ＷＯ  ８３／０３２６７）に開示されたものと同様な構造のものであり、概略的には図９に示すように、入口１１０Ａと出口１１０Ｂとの間にベンチュリー部１１０ｂが形成されるとともに、入口側に圧空の吹き込み口１１０ａを備えるとともに、ベンチュリー部１１０ｂに空気の排気孔１１０ｃを有するものである。平面的にはほぼ長方形をなし、図９の紙面を貫通する方向に扁平な形状である。
【００９２】
吹き込み口１１０ａからの圧空の吹き込みによって、エジェクター効果によって入口１１０Ａから空気が入り込み、その結果、トウ５２Ｙは引き込まれ、前進力が与えられる。トウ５２Ｙがベンチュリー部１１０ｂに至ると、空気の排気孔１１０ｃから排気が行われ、かつ、ベンチュリー部１１０ｂの空間が拡大するために、主にトウ５２Ｙの厚み方向の開繊が行われる。その際に、図９の下方にも示したように、幅方向にもばらける。
【００９３】
本発明者らは、第２開繊装置１１０のみでは開繊が不十分であり、予め第１の開繊装置によって、トウ５２Ｙに緊張と弛緩を行う開繊をしておくことが望ましいことを知見した。したがって、上記の２つの開繊形態を組み合わせて採用することが望ましいのである。
【００９４】
本発明におけるフィラメントの集合体に対して高吸収性ポリマー粒子を散布する高吸収性ポリマー粒子散布手段９０としては、高吸収性ポリマー粒子自体の自重よる落下力のみならず、外力を加えて投射する（加速力を与える）手段が望ましい。この例を図１０に示した。すなわち、下部に開口を有するケーシング９０ａ内に投射孔９０ｄを有する回転ドラム９０ｂがウェブの移動方向（図１０での反時計方向）に回転するように構成され、その内部にシャッタドラム９０ｃが設けられたものである。これらを要素とする投射部９０Ａは、ホッパー９０Ｂと連結され（図８参照）、高吸収性ポリマー粒子散布手段９０が構成されている。
【００９５】
ホッパー９０Ｂからの高吸収性ポリマー粒子５４は回転ドラム９０ｂ内に供給されるように構成されている。ここに、予め、ケーシング９０ａの開口位置に対し、シャッタドラム９０ｃの開口の位置調整が行われる。図１０の状態では完全一致した全開状態を示してある。また、回転ドラム９０ｂの投射孔９０ｄは、周方向に分割された群として、図示では周方向に４つの群として分割され、したがって図示では回転ドラム９０ｂが一回転する過程で、４枚分の紙おむつに対して高吸収性ポリマー粒子を散布・投射するようにしてある。
【００９６】
ケーシング９０ａ及び予め位置調整されたシャッタドラム９０ｃが回転しないで固定している状態で、回転ドラム９０ｂが回転すると、高吸収性ポリマー粒子５４は投射孔９０ｄを通って落下するとともに、その際に、回転ドラム９０ｂが回転している関係で、高吸収性ポリマー粒子５４に対して半径方向の遠心分力が作用し、高吸収性ポリマー粒子５４に自由落下以上の加速力（外力）が作用し、速い速度でフィラメント５２の集合体上に散布・投射される。したがって、高吸収性ポリマー粒子５４をフィラメント５２相互間の空隙内に深く侵入させることができる。高吸収性ポリマー粒子５４の自由落下のみの依存する方法では、フィラメント５２の集合体の主に上部のみに偏在し、フィラメントの集合体に対して高吸収性ポリマー粒子が実質的に厚み方向全体に分散させることができ難い。
【００９７】
フィラメント５２の集合体上に高吸収性ポリマー粒子５４を連続的に散布・投射してもよいが、図７が参照されるように、吸収要素５０をカッター装置９４によりライン方向に分割し、個別の吸収要素５０とするときに、高吸収性ポリマー粒子５４の存在によりカッター装置９４の刃が短時間のうちに磨耗してしまう。そこで、高吸収性ポリマー粒子５４を連続的に散布・投射するのではなく、図１０に示すように、ゾーンＺのみに間欠的に散布・投射するようにすることが望ましい。
【００９８】
このために、前述のように、回転ドラム９０ｂの投射孔９０ｄは、周方向に分割された群として、図示では周方向に４つの群として分割して形成することにより、高吸収性ポリマー粒子５４をゾーンＺのみに間欠的に散布・投射するようにしてあるのである。その結果、ゾーンＺ、Ｚ間でカッター装置９４により分断でき、カッター装置９４の刃の磨耗を抑制できる。
【００９９】
なお、高吸収性ポリマー粒子の散布量は、主に投射孔９０ｄの孔径の大小、ケーシング９０ａの開口位置に対するシャッタドラム９０ｃの開口の位置調整によって調節でき、加工ラインの速度に合わせて前記開口の位置は追従させると良い。また、高吸収性ポリマー粒子の散布パターンは、分割された投射孔９０ｄ群の配置によって調節できる。
【０１００】
一方、必要ならば、高吸収性ポリマー粒子５４を圧力空気とともに、フィラメント５２の集合体上に散布・投射することで、フィラメントの集合体に対して高吸収性ポリマー粒子が実質的に厚み方向全体に分散させることも可能である。しかし、フィラメント５２の集合体上に散布・投射した高吸収性ポリマー粒子が、圧力空気によって散乱し、所定領域外に散布される難点があるので、あまり推奨できない。
【０１０１】
さらに、高吸収性ポリマー粒子散布手段９０と共に、あるいはこれに換えて、フィラメントの集合体上に散布された高吸収性ポリマー粒子５４をフィラメントの集合体の下方から、吸引するようにしてもよい。
【０１０２】
また、図１１に示すように、図７及び図８の転回ロールをバキュームロール１０６に換え、前述の外力（遠心分力）をも加えて高吸収性ポリマー粒子を散布する散布手段９０でなく、単に高吸収性ポリマー粒子を自重による落下させる形式の汎用の高吸収性ポリマー粒子散布手段により、バキュームロール１０６上方からフィラメント５２の集合体５２Ｚ上に、高吸収性ポリマー粒子５４を散布することもできる。この場合には、バキュームロール１０６による吸引力によりフィラメント５２の集合体を高吸収性ポリマー粒子が侵入するので、製品段階では、吸収体５６の下部に高吸収性ポリマー粒子が分散される。
【０１０３】
＜高吸収性ポリマー粒子について＞
本発明の「高吸収性ポリマー粒子」とは、「粒子」以外に「粉体」も含む意味である。高吸収性ポリマー粒子の粒径は、この種の吸収性物品に使用されるものをそのまま使用でき、１００〜１０００μｍ、特に１５０〜４００μｍのものが望ましい。高吸収性ポリマー粒子の材料としては、特に限定無く用いることができるが、吸水量が６０ｇ／ｇ以上のものが好適である。高吸収性ポリマー粒子としては、でんぷん系、セルロース系や合成ポリマー系などのものがあり、でんぷん−アクリル酸（塩）グラフト共重合体、でんぷん−アクリロニトリル共重合体のケン化物、ナトリウムカルボキシメチルセルロースの架橋物やアクリル酸（塩）重合体などのものを用いることができる。高吸収性ポリマー粒子の形状としては、通常用いられる粉粒体状のものが好適であるが、他の形状のものも用いることができる。
【０１０４】
本発明の高吸収性ポリマー粒子としては、吸水速度が４０秒以下のものが好適に用いられる。吸水速度が４０秒を超えると、吸収体内に供給された体液が吸収体外に戻り出てしまう所謂逆戻りを発生し易くなる。
【０１０５】
また、高吸収性ポリマー粒子としては、ゲル強度が１０００Ｐａ以上のものが好適に用いられる。これにより、トウを用いることにより嵩高な吸収体とした場合であっても、体液吸収後のべとつき感を効果的に抑制できる。
【０１０６】
高吸収性ポリマー粒子の目付け量は、当該吸収体の用途で要求される吸収量に応じて適宜定めることができる。したがって一概には言えないが、５０〜３５０ｇ／ｍ2とすることができる。ポリマーの目付け量を５０ｇ／ｍ2以下とすることにより、ポリマーの重量によって、トウからなるフィラメントの集合体を採用することにより軽量化効果が発揮されにくくなるのを防止できる。３５０ｇ／ｍ2を超えると、効果が飽和するばかりでなく、高吸収性ポリマー粒子の過剰により前述のジャリジャリした違和感を与えるようになる。
【０１０７】
必要であれば、表２〜表４に示した高吸収性ポリマー粒子の分散パターンを得るために、高吸収性ポリマー粒子は、吸収体５６の平面方向で散布密度あるいは散布量を調整できる。たとえば、体液の排泄部位を他の部位より散布量を多くすることができる。男女差を考慮する場合、男用は前側の散布密度（量）を高め、女用は中央部の散布密度（量）を高めることができる。また、吸収体５６の平面方向において局所的（例えばスポット状）にポリマーが存在しない部分を設けることもできる。
【０１０８】
必要により、高吸収性ポリマー粒子として、粒径分布が異なる複数用意し、厚み方向に順次散布・投射できる。たとえば、前記の高吸収性ポリマー粒子散布手段９０を複数ライン方向に間隔をおいて配置し、先に粒径分布が小さいものを散布・投射した後に、粒径分布が大きいものを散布・投射することで、吸収体５６内の下側に粒径分布が小さいものを、上側に粒径分布が大きいものを分布させることができる。この形態は、粒径分布が小さいものは、フィラメントの集合体内に奥深く侵入させるために有効である。
【０１０９】
高吸収性ポリマー粒子とフィラメントの集合体との割合は吸収特性を左右する。吸収体５６における体液を直接受ける領域での５ｃｍ×５ｃｍの平面面積内における重量比としては、高吸収性ポリマー粒子／フィラメント重量が、１〜１４、特に３〜９であることが望ましい。
【０１１０】
＜使用素材について＞
（包被シート）
吸収体５６に用いる包被シート５８としては、ティッシュペーパ、特にクレープ紙、不織布、ポリラミ不織布、小孔が開いたシート等を用いることができる。ただし、高吸収性ポリマー粒子が抜け出ないシートであるのが望ましい。クレープ紙に換えて不織布を使用する場合、親水性のＳＭＭＳ（スパンボンド／メルトブローン／メルトブローン／スパンボンド）不織布が特に好適であり、その材質はポリプロピレン、ポリエチレン／ポリプロピレンなどを使用できる。目付けは、８〜２０ｇ／ｍ2、特に１０〜１５ｇ／ｍ2のものが望ましい。
【０１１１】
前記の実施の形態における包被シートは、少なくとも吸収体５６の裏面及び側面を包被したものであるが、必要ならば、吸収体５６の上面及び側面のみをクレープ紙や不織布で覆い、下面をポリエチレンなどの体液不透過性シートで覆う形態、吸収体５６の上面をクレープ紙や不織布で覆い、側面及び下面をポリエチレンなどの体液不透過性シートで覆う形態などでもよい（これらの各素材が包被シートの構成要素となる）。
【０１１２】
（吸収体のサイズ・重量）
他方、吸収体５６のサイズは、平面投影面積が４００ｃｍ2以上であり、かつ厚さが１〜１０ｍｍ、特に１〜５ｍｍであるのが好ましい。吸収体のサイズがこの範囲内にあると、重量や厚さ、コストの増加を来たさずに復元性を向上する上で、極めて有利である。また、吸収体の重量は２５ｇ以下、特に１０〜２０ｇとなるように構成するのが好ましい。吸収体の重量がこの範囲内にあると、専用部材を用いないことによる利点が特に顕著になる。
【０１１３】
（吸収体の集合体の圧縮特性）
本発明では、吸収体５６の圧縮レジリエンスＲＣが４０〜６０％、特に５０〜６０％とされる。これにより、吸収体自体で十分な復元性を発揮できるようになる。
【０１１４】
さらに、吸収体５６の圧縮エネルギーＷＣは４．０〜１０．０ｇｆ・ｃｍ／ｃｍ2であると、包装に際して従来と同レベルあるいはそれ以上にコンパクトに圧縮することができるため好ましい。
【０１１５】
これらの圧縮特性は、開繊等によるフィラメントの集合体の繊維密度の調整、繊維素材の選定、可塑剤等のバインダーの種類の選定・処理の程度の調整、あるいはこれらの組み合わせ等により調整できる。
【０１１６】
ここで、圧縮エネルギー（ＷＣ）とは、長さ２００ｍｍ、幅５０ｍｍに断裁した試験片（保持シート）の中央部を、５０ｇまで押す場合のエネルギー消費量である。
【０１１７】
この圧縮エネルギーは、ハンディー圧縮試験機（ＫＥＳ−Ｇ５、カトーテック社製）によって、測定することができる。この試験機による場合の測定条件は、ＳＥＮＳ：２、力計の種類：１ｋｇ、ＳＰＥＥＤ  ＲＡＮＧＥ：ＳＴＤ、ＤＥＦ感度：２０、加圧面積：２ｃｍ2、取り込間隔：０．１（標準）、ＳＴＲＯＫＥ  ＳＥＴ：５．０、上限荷重：５０ｇｆ／ｃｍ2である。
【０１１８】
一方、圧縮レジリエンス（ＲＣ）とは、繊維が圧縮されたときの回復性を表すパラメータである。したがって、回復性がよければ、圧縮レジリエンスが大きくなる。この圧縮レジリエンスは、ハンディー圧縮試験機（ＫＥＳ−Ｇ５、カトーテック社製）によって、測定することができる。この試験機による場合の測定条件は、上記圧縮エネルギーの場合と同様である。
【０１１９】
（トップシート）
本実施の形態において、トップシート３０は、体液を透過する性質を有する。したがって、トップシート３０の素材は、この体液透過性を発現するものであれば足り、例えば、有孔又は無孔の不織布や、多孔性プラスチックシートなどを例示することができる。また、このうち不織布は、その原料繊維が何であるかは、特に限定されない。例えば、ポリエチレンやポリプロピレン等のオレフィン系、ポリエステル系、ポリアミド系等の合成繊維、レーヨンやキュプラ等の再生繊維、綿等の天然繊維などや、これらから二種以上が使用された混合繊維などを例示することができる。さらに、不織布は、どのような加工によって製造されたものであってもよい。加工方法としては、公知の方法、例えば、スパンレース法、スパンボンド法、サーマルボンド法、メルトブローン法、ニードルパンチ法等を例示することができる。例えば、柔軟性、ドレープ性を求めるのであれば、スパンレース法が、嵩高性、ソフト性を求めるのであれば、サーマルボンド法が、好ましい加工方法となる。
【０１２０】
また、トップシート３０は、１枚のシートからなるものであっても、２枚以上のシートを貼り合せて得た積層シートからなるものであってもよい。同様に、トップシート３０は、平面方向に関して、１枚のシートからなるものであっても、２枚以上のシートからなるものであってもよい。
【０１２１】
（中間シート）
トップシートを透過した体液を速やかに吸収体へ移行させるために、トップシートより体液の透過速度が速い、通常「セカンドシート」と呼ばれる中間シートを設けることができる。この中間シートは、体液を速やかに吸収体へ移行させて吸収体による吸収性能を高めるばかりでなく、吸収した体液の吸収体からの「逆戻り」現象を防止し、トップシート上を常に乾燥した状態とすることができる。
【０１２２】
中間シート４０としては、トップシート３０と同様の素材や、スパンレース、パルプ不織布、パルプとレーヨンとの混合シート、ポイントボンド又はクレープ紙を例示できる。特にエアスルー不織布及びスパンボンド不織布が好ましい。
【０１２３】
（エンボス加工）
トップシート３０の表面側から厚み方向にエンボスによる凹部Ｅを形成してもよい。この場合、トップシート３０のみにエンボスによる凹部Ｅを形成するほか、図７に示すように、トップシート３０と中間シート４０との両者にエンボスによる凹部Ｅを形成方したり、トップシート３０の表面側から吸収体５６の厚さ方向一部または略全体に達するようにエンボスによる凹部を形成したり（図示せず）することができる。トップシート３０と中間シート４０との両者にエンボスによる凹部Ｅを形成させるためには、中間シート４０としては、坪量が８〜４０ｇ／ｍ2、厚さ０．２〜１．５ｍｍ、トップシート３０としては、坪量が１５〜８０ｇ／ｍ2、厚さ０．２〜３．５ｍｍの範囲にあるのが、透液性を阻害しない条件で、エンボス加工を充分に行える点で望ましい。
【０１２４】
また、トップシート３０に凹部を形成することなく、中間シート４０のみにエンボスによる凹部を形成してもよく、さらにトップシート３０及び中間シート４０に凹部を形成することなく、吸収要素５６のみにエンボスによる凹部を形成しても、また、トップシート３０、中間シート４０および包被シート５８に凹部を形成することなく、吸収体５８のみにエンボスによる凹部を形成してもよい。
【０１２５】
凹部Ｅはこれが延在する方向に、体液を誘導し拡散させる効果がある。よって、凹部Ｅを実質的に溝状に連続させる（複数の凹部が間隔を空けて列なり一つの溝を形成する場合を含む）と、体液は、吸収体に到達する前に表面側層の凹部Ｅを伝って拡散するようになり、吸収体のより広範な部分を吸収に利用できるようになる。よって、製品全体の吸収容量が増大し、吸収容量不足に基づく側方からの漏れや逆戻りが発生し難い吸収性物品となる。
【０１２６】
一方、トウからなる吸収体５６は従来のパルプ物と比べて剛性が低下し易いが、吸収体５６にエンボスによる凹部を形成すると剛性を高めることができるため好ましい。図示しないが、吸収要素５０の剛性を高めるために、吸収体５６の裏面側（トップシート３０側に対して反対側）から厚み方向にエンボスによる凹部を形成するのも好ましい形態である。この裏面側の凹部を形成するために、保持シート８０、包被シート５８、体液不透過性シート７０または外装シート１２の裏面側から、吸収体５６まで達するように一体的にエンボス加工を施すことができる。また、このような裏面側の凹部は、表面側の凹部Ｅとともに形成するのが好ましいが、表面側の凹部Ｅを形成せずに裏面側の凹部のみ形成することもできる。凹部を表裏両側に設ける場合には、凹部の形態を表裏共通にしても良く、また表裏異なるものとしても良い。
【０１２７】
エンボスによる凹部はその延在方向に体液を誘導し拡散させる効果がある。また剛性を高める効果もある。よって、エンボスによる凹部の形態はこれらの効果を考慮して決定するのが望ましい。例えば、凹部は、実質的に溝状に連続するもの（複数の凹部が間隔を空けて列なり一つの溝を形成する場合を含む）の他、複数の凹部が間隔を空けて点状に配置されるものであっても良い。また、平面パターンとしては、溝状または点状の凹部が、製品の長手方向、幅方向、これらを組み合わせた格子状、幅方向に往復するジグザグ状（千鳥状）、あるいは不規則に配置された形態等を採ることができる。さらに、ピン状、富士山状、蛇腹状等、適宜の形態を採用することができる。
【０１２８】
（体液不透過性シート）
本発明において、体液不透過性シートは、単に吸収体５６の裏面側に配されるシートを意味し、本実施の形態においては、トップシート３０との間に吸収体５６を介在させるシートとなっている。したがって、本体液不透過性シートは、その素材が、特に限定されるものではない。具体的には、例えば、ポリエチレンやポリプロピレン等のオレフィン系樹脂や、ポリエチレンシート等に不織布を積層したラミネート不織布、防水フィルムを介在させて実質的に不透液性を確保した不織布（この場合は、防水フィルムと不織布とで体液不透過性シートが構成される。）などを例示することができる。もちろん、このほかにも、近年、ムレ防止の観点から好まれて使用されている不透液性かつ透湿性を有する素材も例示することができる。この不透液性かつ透湿性を有する素材のシートとしては、例えば、ポリエチレンやポリプロピレン等のオレフィン系樹脂中に無機充填剤を混練して、シートを成形した後、一軸又は二軸方向に延伸して得られた微多孔性シートを例示することができる。
【０１２９】
（保持シート）
本実施の形態において、保持シート８０は、ジャリジャリした違和感を解消または軽減するものである。その素材は、特に限定されず、吸収性ポリマーの保持性能を有するものであれば足りる。具体的には、例えば、不織布、捲縮パルプ、低吸収性のコットン繊維（例えば、未脱脂のコットン繊維、脱脂されたコットン繊維、レーヨン繊維を撥水剤や疎水化剤で処理したものなど。）、ポリエチレン繊維、ポリエステル繊維、アクリル繊維、ポリプロピレン繊維、絹、綿、麻、ナイロン、ポリウレタン、アセテート繊維等を例示することができる。
【０１３０】
ただし、保持シート８０を不織布とする場合は、ＫＥＳ試験に基づく圧縮エネルギーが０．０１〜１０．００ｇｆｃｍ／ｃｍ2、好ましくは、０．０１〜１．００ｇｆｃｍ／ｃｍ2で、かつ圧縮レジリエンスが１０〜１００％、好ましくは、７０〜１００％の不織布であるとよい。
【０１３１】
保持シート８０を設ける理由は先にも触れたように、たとえば吸収体５６から下方に抜け落ちた（抜け出た）吸収性ポリマーを保持することにある。したがって、抜け出た高吸収性ポリマー粒子に対して、包被シート５８及び保持シート８０を介して使用者に接触するので、使用者にジャリジャリした違和感として、伝わるおそれがない。特に上記の縮エネルギー及び圧縮レジリエンスである不織布であると、保持シートとしての機能が十分に発揮する。
【０１３２】
また、抜け出た吸収性ポリマーは、保持シート６０によって保持され、包被シート５８上を移動することがないため、吸収能力の偏在が生じるおそれもない。特に、保持シート８０上を高吸収性ポリマー粒子が移動を防止するために、予め粘着性を有するホットメルト接着剤などを保持シート８０上に塗布することができる。図８にはこのための粘着剤塗布装置１０４が図示されている。また、保持シート８０の上面（使用面側に向かう面）を粗面とすることで、保持シート８０上を高吸収性ポリマー粒子が移動を防止するようにしてもよい。このための粗面化又は毛羽立ち手段としては、不織布の製造時におけるネット面でない非ネット面とする、マーブル加工を行う、ニードルパンチにより加工する、ブラシッング加工するなどを挙げることができる。
【０１３３】
図６では、保持シート８０が吸収体５６の下方のみに設けてあるが、吸収体５６の側面を通り吸収体５６の上面にまで巻き上げて延在させてもよい。また、保持シート８０を複数枚重ねて使用することも可能である。
【０１３４】
上記例は、吸収体と包被シートの裏面側部位との間に保持シートを設ける例であるが、保持シートは、包被シートより裏面側であってもよく（その形態は図示していない）、要は、吸収体に対して裏面側に保持シートを設ければ、製品の裏面から触る場合におけるジャリジャリした違和感を軽減させるあるいは生じさせないものとなる。
【０１３５】
＜テープ式型吸収性物品（テープ式使い捨ておむつ）構造例＞
本発明によって製造される吸収性物品としては、テープ式の吸収性物品も含まれる。
図１３及び図１４を参照しながらテープ式使い捨ておむつの形態例を説明する。図１４は図１３における１４―１４線矢視図であるが、吸収性本体２０についてはやや誇張して図示してある。
【０１３６】
テープ式使い捨ておむつ１０Ａは、おむつの背側両側端部に取り付けられたファスニング片を有し、このファスニング片の止着面にフック要素を有するとともに、前記おむつの裏面を構成するバックシートを不織布積層体とし、おむつの装着に当り、前記ファスニング片のフック要素を前記バックシートの表面の任意個所に係合可能となしたおむつである。
【０１３７】
具体例について説明すると、トップシート３０と、実質的に液を透過させない不透液性シート、例えばポリエチレン等からなる完全に液を透過させない不透液性シート７０との間に、吸収体５６を介在させたものである。この吸収体５６は、ティッシュペーパによる包被シート５８により全体が包まれており、平面的に視て長方形をなしている。吸収体５６と包被シート５８との間には保持シート８０が設けられている。
【０１３８】
さらに、トップシート３０と吸収体５６との間には、中間シート４０が介在されている。不透液性シート７０は吸収体５６より幅広の長方形をなし、その外方に砂時計形状の不織布からなるバックシート１２Ａが設けられている。
【０１３９】
トップシート３０は吸収体５６より幅広の長方形をなし、吸収体５６の側縁より若干外方に延在し、不透液性シート７０とホットメルト接着剤などにより固着されている。
【０１４０】
おむつの両側部には、使用面側に突出するバリヤーカフス６０Ａが形成され、このバリヤーカフス６０Ａは、実質的に幅方向に連続した不織布からなるバリヤーシート６４と、弾性伸縮部材、例えば糸ゴムからなる１本の又は複数本の脚周り用弾性伸縮部材としての糸ゴム６２とにより構成されている。１３０は面ファスナーによるファスニング片である。
【０１４１】
バリヤーシート６４の内面は、トップシート３０の側縁と離間した位置において固着始端を有し、この固着始端から不透液性シート７０の延在縁にかけて、幅方向外方部分がホットメルト接着剤などにより固着されている。バリヤーシート６４の外面は、その下面においてバックシート１２Ａにホットメルト接着剤などにより固着されている。さらに、ガスケットカフス用弾性伸縮部材、たとえば糸ゴム６６が設けられている。
【０１４２】
バリヤーシート６４の内面の、不透液性シート７０への固着始端は、バリヤーカフス６０Ａの起立端を形成している。脚周りにおいては、この起立端より内側は、製品本体に固定されていない自由部分であり、この自由部分が糸ゴム６２の収縮力により起立するようになる。
【０１４３】
本例では、ファスニング片１３０として、面ファスナーを用いることで、バックシート１２Ａに対して、メカニカルに止着できる。したがって、いわゆるターゲットテープを省略することもでき、かつ、ファスニング片１３０による止着位置を自由に選択できる。
【０１４４】
ファスニング片１３０は、プラスチック、ポリラミ不織布、紙製などのファスニング基材の基部がバックシート１２Ａに、例えば接着剤により接合されており、先端側にフック要素１３０Ａを有する。フック要素１３０Ａはファスニング基材に接着剤により接合されている。フック要素１３０Ａは、その外面側に多数の係合片を有する。フック要素１３０Ａより先端側に仮止め接着剤部１３０Ｂを有する。製品の組立て末期において、仮止め接着剤部１３０Ｂがバリヤーシート６４に接着されることによりファスニング片１３０の先端側の剥離を防止するようにしている。使用時には、その接着力に抗して剥離し、ファスニング片１３０の先端側を前身頃に持ち込むものである。仮止め接着剤部１３０Ｂより先端側はファスニング基材が露出して摘みタブ部とされている。
【０１４５】
前身頃の開口部側には、バックシート１２Ａの内面側に、デザインシートとしてのターゲット印刷シート７４が設けられ、ファスニング片１３０のフック要素１３０Ａを止着する位置の目安となるデザインが施されたターゲット印刷がなされ、外部からバックシート１２Ａを通して視認可能なように施されている。
【０１４６】
おむつの、装着時には、おむつが舟形に体に装着されるので、そして糸ゴム６２の収縮力が作用するので、脚周りでは、糸ゴム６２の収縮力によりバリヤーカフス６０Ａが起立する。
【０１４７】
起立部で囲まれる空間は、尿又は軟便の閉じ込め空間を形成する。この空間内に排尿されると、その尿はトップシート３０を通って吸収体５６内に吸収されるとともに、軟便の固形分については、バリヤーカフス６０Ａの起立部がバリヤーとなり、その乗り越えが防止される。万一、起立部の起立遠位側縁を乗り越えて横に漏れた尿は、平面当り部によるストップ機能により横漏れが防止される。
【０１４８】
本形態において、各起立カフスを形成するバリヤーシート６４は、透液性でなく実質的に不透液性（半透液性でもよい）であるのが望ましい。また、本発明の表面シート（不織布積層体）に対してシリコン処理などにより液体をはじく性質となるようにしてもよい。いずれにしても、バリヤーシート６４及びバックシート１２Ａは、それぞれ通気性があり、かつバリヤーシート６４及びバックシート１２Ａは、それぞれ耐水圧が１００ｍｍＨ2Ｏ以上のシートであるのが好適である。これによって、製品の幅方向側部において通気性を示すものとなり、着用者のムレを防止できる。
【０１４９】
吸収要素５０は、前述のパンツ型吸収性物品の場合と同じであり、トウを開繊したフィラメント５２，５２…の集合体及び高吸収性ポリマー粒子５４，５４…を有する吸収体５６と、この吸収体５６を包む包被シート５８とを有する。さらに、吸収体５６と包被シート５８の裏面側部位（下側の部分）との間に保持シート８０が設けられている。ここで、保持シート８０と吸収体５６上との間に、高吸収性ポリマー粒子５４をその散布などにより介在させることもできる。保持シート８０の機能は、前述のパンツ型吸収性物品の場合と同じである。
【０１５０】
図示の形態の中間シート４０は、吸収体５６の幅より短く中央に配置されているが、全幅にわたって設けてもよい。中間シート４０の長手方向長さは、吸収体５６の長さと同一でもよいし、体液を受け入れる領域を中心にした短い長さ範囲内であってもよい。中間シート４０の代表的な素材は体液の透過性に優れる不織布である。必要により、図１６のように、中間シート４０を使用しない形態でもよい。
【０１５１】
包被シート５８としては、ティッシュペーパや不織布などを使用できる。この包被シート５８は、図１４のように、フィラメント５２，５２…の集合体及び高吸収性ポリマー粒子５４，５４…の層全体を包む形態のほか、たとえば図１５に示すように、その層の裏面及び側面のみを包被するものでもよい。必要ならば、層の上下２層のシートで挟む形態や下面のみに配置する形態でもよいが、高吸収性ポリマー粒子の移動を防止でき難いので望ましい形態ではない。
【０１５２】
保持シート８０は、吸収体５６の側部を周り込ませてもよい。また、図１７には、吸収体５６の下方に高吸収性ポリマー粒子を設けた場合、あるいは吸収体５６中に含ませた高吸収性ポリマー粒子が、製造から消費者が使用するまでの段階で、フィラメント５２の集合体から抜け出て、保持シート８０上に集まった場合を概念的に示した。
【０１５３】
なお、図示しないが、図面に示す形状に保持されるように、各構成部材は、ホットメルト接着剤などのベタ、ビードまたはスパイラル塗布などにより相互に固定される。
【０１５４】
＜テープ式型吸収性物品（テープ式紙おむつ）の製造方法例＞
上記のテープ式紙おむつを製造するための本発明の製造方法例について説明する。
図１８及び図１９に示す例は、図１３及び図１４に示すテープ式の使い捨ておむつの製造方法例である。
これを説明すると、ラインに上流側から包被シート５８が供給され、次いで保持シート８０が供給される。続いて、前述のパンツ型吸収性物品の製造方法と同じ開繊工程（従って重複説明を省略する。）を経ることによって、トウが開繊されたフィラメント５２の集合体５２Ｚが上方から供給され、高吸収性ポリマー粒子散布手段９０により、上方からフィラメント５２の集合体５２Ｚ上に投射・散布され、フィラメントの集合体に対して高吸収性ポリマー粒子５４が混入され分散される（高吸収性ポリマー粒子を混入する工程）。その後、セーラ９２を通すことにより吸収要素５０として包被シート５８により包み込む（吸収体の連続体を、包被シートにより連続的に包む工程）。次に、カッター装置９４によりライン方向に分割され、個別の吸収要素５０とされる（個別の吸収要素を得る工程）。
【０１５５】
さらに、他の素材と組合せる工程を説明すると、中間シート（セカンドシート）４０が上方から、実施の形態では吸収要素５０全長に対して短い構造であるので、間欠的に供給されるともに、下方側から第２体液不透過性シート７２が供給された後、セーラ９４により側部の折り畳みがなされ、続いて上方からトップシート３０が、下方から体液不透過性シート７０がそれぞれ供給され、その後にバリヤーカフス６０を構成するバリヤーシート６４が供給される。バリヤーシート６４の供給ラインでは、予め、図示しない装置により２枚の不織布間に糸ゴム６２が伸張下で固定された状態での供給がなされる。
【０１５６】
ラインの最後では、他の素材と組み合わせた吸収要素を含む吸収性本体を備える半製品をカッター装置９８により分断し製品を得る。
【０１５７】
ここで、個別の吸収要素を得る工程までの工程は、前述のパンツ型吸収性物品の製造方法の場合と同じ形態を採ることができる。
【産業上の利用可能性】
【０１５８】
本発明の製造方法は、生理用ナプキン、失禁パッド、おむつカバーと併用する吸収パッドなどの製造に際しても当然に適用できるが、その場合の方法は、当業者にとって容易に推測できるものと思われるので、説明を省略する。
【図面の簡単な説明】
【０１５９】
【図１】パンツ型使い捨ておむつの斜視図である。
【図２】パンツ型使い捨ておむつの展開状態平面図である。
【図３】図２の３―３線矢視断面図である。
【図４】他の例の３―３線矢視相当断面図である。
【図５】別の例の３―３線矢視相当断面図である。
【図６】変形例の３―３線矢視相当断面図である。
【図７】パンツ型使い捨ておむつの製造方法例を示す概要図である。
【図８】その要部概要図である。
【図９】開繊装置の概要図である。
【図１０】高吸収性ポリマー粒子散布手段例の概要図である。
【図１１】他の高吸収性ポリマー粒子散布形態の概要図である。
【図１２】さらに別の例の３―３線矢視相当断面図である。
【図１３】テープ式使い捨ておむつの展開状態平面図である。
【図１４】その中央１４―１４線断面図である。
【図１５】他の例の１４―１４線矢視相当断面図である。
【図１６】別の例の１４―１４線矢視相当断面図である。
【図１７】変形例の１４―１４線矢視相当断面図である。
【図１８】テープ式使い捨ておむつの製造方法例を示す概要図である。
【図１９】その要部概要図である。
【図２０】吸収体の方向の説明図である。
【符号の説明】
【０１６０】
１０…パンツ型使い捨ておむつ、１０Ａ…テープ式使い捨ておむつ、１２…外装シート、１２Ａ…バックシート、２０…吸収性本体、３０…トップシート、４０…中間シート、５０…吸収要素、５２…フィラメント、５２Ｘ…ベール、５２Ｙ…トウ、５２Ｚ…フィラメントの集合体、５４…高吸収性ポリマー粒子、５６…吸収体、５８…包被シート、６０、６０Ａ…バリヤーカフス、６４…バリヤーシート、７０…体液不透過性シート、７２…第２体液不透過性シート、８０…保持シート、９０…高吸収性ポリマー粒子散布手段、９０Ａ…投射部、９０ａ…ケーシング、９０ｂ…回転ドラム、９０ｃ…シャッタドラム、９２…セーラ、９４…カッター装置、９８…カッター装置、１００…転回装置、１０２…組合せステーション、１０４…粘着剤塗布装置、１１０…第２開繊装置、１１０ａ…圧空の吹き込み口、１１０ｂ…ベンチュリー部、１２４…プリテンションロール、１２６Ａ…第１ニップ、１２６Ｂ…第２ニップ、１２６Ｃ…第３ニップ、１３０…ファスニング片、Ｅ…凹部、Ｚ…高吸収性ポリマー粒子散布ゾーン。
【図１】
2006263165.tif 000007
【図２】
2006263165.tif 000008
【図３】
2006263165.tif 000009
【図４】
2006263165.tif 000010
【図５】
2006263165.tif 000011
【図６】
2006263165.tif 000012
【図７】
2006263165.tif 000013
【図８】
2006263165.tif 000014
【図９】
2006263165.tif 000015
【図１０】
2006263165.tif 000016
【図１１】
2006263165.tif 000017
【図１２】
2006263165.tif 000018
【図１３】
2006263165.tif 000019
【図１４】
2006263165.tif 000020
【図１５】
2006263165.tif 000021
【図１６】
2006263165.tif 000022
【図１７】
2006263165.tif 000023
【図１８】
2006263165.tif 000024
【図１９】
2006263165.tif 000025
【図２０】
2006263165.tif 000026